(57)【要約】【解決手段】  病院ネットワークに接続されたコンピュータにおいて実行される、医療ワークフローを適合させるためのシステム及び方法の例が提供される。このシステム及び方法は、医療情報データを含むメッセージを取得することと、医療情報データを少なくとも部分的に使用して、医療従事者のワークフローを予測することと、予測に基づいて、１以上の医療アクションの候補を含むメニューを医療従事者に表示するために送信することを含む。【選択図】図１
2013515324.tif 000002
【特許請求の範囲】
【請求項１】
病院ネットワークに接続されたプロセッサにおいて実行される、医療ワークフローを適合させる方法であって、
医療情報データを含むメッセージを取得するステップと、
前記医療情報データを少なくとも部分的に使用して、医療従事者のワークフローを予測するステップと、
予測に基づいて、１以上の医療アクションの候補を含むメニューをインタフェースに送信するステップと、
を備えることを特徴とする方法。
【請求項２】
前記予測するステップは、前記医療従事者の識別情報及び認証レベルを用いて予測するステップを含むことを特徴とする請求項１に記載の方法。
【請求項３】
前記医療情報データは、患者の識別情報、医療アイテムの識別情報、及びバーコード情報のうち少なくとも１つを含むことを特徴とする請求項１に記載の方法。
【請求項４】
前記医療情報データは、前記医療従事者により選択された医療アクションを含むことを特徴とする請求項１に記載の方法。
【請求項５】
前記医療情報データに関連付けられた状態を判定するステップを更に備えることを特徴とする請求項１に記載の方法。
【請求項６】
前記予測するステップは、前記医療情報データに関連付けられた前記状態を用いて予測するステップを含むことを特徴とする請求項５に記載の方法。
【請求項７】
最初の前記メッセージにセッションを関連付けるステップを更に備えることを特徴とする請求項１に記載の方法。
【請求項８】
前記予測するステップは、前記セッション情報に基づいて予測するステップを含むことを特徴とする請求項７に記載の方法。
【請求項９】
前記予測するステップは、
医療アクションの候補のエントリを含むワークフローデータベースにアクセスするステップと、
前記医療従事者の予測されたワークフローに、少なくとも１つの医療アクションの候補を含めるステップと、
を含むことを特徴とする請求項１に記載の方法。
【請求項１０】
システム管理者の入力に基づいて前記ワークフローデータベースを更新するステップを更に備えることを特徴とする請求項１に記載の方法。
【請求項１１】
前記メニューからメニュー項目を無効化することを促すステップを更に備えることを特徴とする請求項１に記載の方法。
【請求項１２】
医療ワークフローを適合させるための命令が記録されたコンピュータ読み取り可能な記録媒体であって、
前記命令は、プロセッサに、
医療情報データを含むメッセージを取得するステップと、
前記医療情報データを少なくとも部分的に使用して、医療従事者のワークフローを予測するステップと、
予測に基づいて、１以上の医療アクションの候補を含むメニューをインタフェースに送信するステップと、
を実行させるコードを備えることを特徴とする記録媒体。
【請求項１３】
予測するための前記コードは、前記医療従事者の識別情報及び認証レベルを用いて予測するためのコードを含むことを特徴とする請求項１２に記載のコンピュータ読み取り可能な記録媒体。
【請求項１４】
前記医療情報データは、患者の識別情報、医療アイテムの識別情報、及びバーコード情報のうち少なくとも１つを含むことを特徴とする請求項１２に記載のコンピュータ読み取り可能な記録媒体。
【請求項１５】
医療ワークフローを適合させるためのシステムであって、
サーバと、
インタフェースを有するスキャナと、
データベースと、を備え、
前記サーバは、
医療情報データを含むメッセージを前記スキャナから取得するように構成された医療情報受付部と、
前記医療情報データを少なくとも部分的に使用して、医療従事者のワークフローを予測するように構成されたワークフロー予測部と、
予測に基づいて、１以上の医療アクションの候補を含むメニューを、前記インタフェースに表示するために前記スキャナに送信するように構成されたメニュー送信部と、
を備えることを特徴とするシステム。
【請求項１６】
前記ワークフロー予測部は、前記医療従事者の識別情報及び認証レベルを用いて予測するように更に構成されることを特徴とする請求項１５に記載のシステム。
【請求項１７】
前記医療情報データに関連付けられた状態を判定するように構成された状態判定部を更に備えることを特徴とする請求項１５に記載のシステム。
【請求項１８】
前記ワークフロー予測部は、前記医療情報データに関連付けられた前記状態を用いて予測するように更に構成されることを特徴とする請求項１７に記載のシステム。
【請求項１９】
最初の前記メッセージにセッションを関連付けるように構成されたセッション管理部を更に備えることを特徴とする請求項１５に記載のシステム。
【請求項２０】
前記ワークフロー予測部は、前記セッション情報に基づいて予測するように更に構成されることを特徴とする請求項１９に記載のシステム。
【発明の詳細な説明】
【技術分野】
【０００１】
本開示は、医療ワークフローシステムに関する。
【背景技術】
【０００２】
医療従事者（例えば、看護師）の仕事は、一般に、患者の治療に関連するいくつかのタスクを実行することを含む。しばしば、医療従事者は、医療コンピュータシステムに薬品及び患者の識別情報を入力するためのバーコードスキャナなどの装置を用いて、患者に食事を与えたり、患者の体温を記録したりするなどのタスクを実行する。患者の世話及び治療の中で、医療従事者は、ひとまとめにして医療従事者の「ワークフロー」と呼ばれるいくつかのタスクを実行することがある。医療従事者は、医療施設の規則により指定されたワークフローに従う。ワークフローは、医療コンピュータシステムにより、表示画面上で医療従事者に提供されうる。
【発明の概要】
【発明が解決しようとする課題】
【０００３】
医療従事者による新しい技術の受け入れは、医療産業が直面する問題である。新しい技術の導入は、しばしば、医療従事者のワークフローの変更を意味するので、医療従事者の側では、新しい技術に適合するための努力が必要とされる。例えば、ある医療システムの設定では、医療従事者がタスクＡ、Ｂ、及びＣ（例えば、ラベルのスキャン、薬品の投与、患者のバイタルサインの記録など）をこの順で実行することが予期されているものとする。医療システムの設定の変更又はアップグレードにより、医療従事者は、タスクをＡ、Ｃ、Ｂの順で実行したり、更なるタスクＤを追加したり（例えば、新しいワークフローは、Ａ、Ｂ、Ｄ、及びＣ）することを要求されうる。医療システムの設定におけるこのような変更は、医療従事者が従うために用いられるワークフローにとって破壊的でありうる。いくつかの例において、既存の医療の設定に対するアップグレード又は変更は、医療従事者が変更に慣れるまでの間、ミスの増加や、医療従事者の側の効率の低下を招きうる。
【課題を解決するための手段】
【０００４】
改良された医療ワークフローのための上述した要求及び他の要求を解決する方法及びシステムが開示される。
【０００５】
本開示の一つの態様において、病院ネットワークに接続されたプロセッサにおいて実行される、医療ワークフローを適合させる方法が開示される。この方法は、医療情報データを含むメッセージを取得するステップと、医療情報データを少なくとも部分的に使用して、医療従事者のワークフローを予測するステップと、予測に基づいて、１以上の医療アクションの候補を含むメニューをインタフェースに送信するステップとを備える。
【０００６】
本開示の別の態様において、医療ワークフローを適合させるための命令が符号化されたマシン読み取り可能な記録媒体が開示される。この命令は、プロセッサに、医療情報データを含むメッセージを取得させ、医療情報データを少なくとも部分的に使用して、医療従事者のワークフローを予測させ、予測に基づいて、１以上の医療アクションの候補を含むメニューをインタフェースに送信させるためのコードを含む。
【０００７】
本開示の更に別の態様において、医療ワークフローを適合させるためのシステムが開示される。システムは、サーバと、インタフェースを有するスキャナと、データベースを備える。サーバは、医療情報データを含むメッセージをスキャナから取得するように構成された医療情報受付部と、医療情報データを少なくとも部分的に使用して、医療従事者のワークフローを予測するように構成されたワークフロー予測部と、予測に基づいて、１以上の医療アクションの候補を含むメニューを、インタフェースに表示するためにスキャナに送信するように構成されたメニュー送信部とを備える。
【０００８】
本開示の実施の形態の前述の及び他の特徴、態様、及び利点は、下記の詳細な説明及び添付の図面からより明らかになるであろう。
【図面の簡単な説明】
【０００９】
【図１】図１は、本開示の実施の形態に係るシステムの概略図である。
【００１０】
【図２】図２は、本開示の実施の形態に係るサーバの概念ブロック図である。
【００１１】
【図３Ａ】図３Ａは、本開示の実施の形態に係る、サーバにおいて実行される方法の例を示すフローチャートである。
【００１２】
【図３Ｂ】図３Ｂは、本開示の実施の形態に係る医療データベースのエントリを示す概念ブロック図である。
【００１３】
【図４Ａ】図４Ａは、サーバにおいて実行される従来技術の方法の例を示すフローチャートである。
【００１４】
【図４Ｂ】図４Ｂは、サーバにおいて実行される従来技術の方法の例を示すフローチャートである。
【００１５】
【図４Ｃ】図４Ｃは、本開示の実施の形態に係る、サーバにおいて実行される方法の例を示すフローチャートである。
【００１６】
【図５】図５は、本開示の実施の形態に係るスキャナとメニュー画面の例を示す図である。
【００１７】
【図６】図６は、本開示の実施の形態に係るスキャナとメニュー画面の例を示す図である。
【００１８】
【図７】図７は、本開示の実施の形態に係るスキャナとメニュー画面の例を示す図である。
【００１９】
【図８】図８は、本開示の実施の形態に係るスキャナとメニュー画面の例を示す図である。
【００２０】
【図９】図９は、本開示の実施の形態に係るスキャナとメニュー画面の例を示す図である。
【発明を実施するための形態】
【００２１】
下記の詳細な説明は、主題となる技術の様々な構成の説明として意図され、主題となる技術を実施することが可能な唯一の構成を表現することを意図しない。添付された図面は、本明細書に援用され、詳細な説明の一部を構成する。詳細な説明は、主題となる技術の完全な理解を提供する目的で、特定の詳細を含む。しかしながら、主題となる技術は、これらの特定の詳細なしに実施することが可能であることは、当業者には明らかである。いくつかの例において、既知の構成及び要素は、主題となる技術のコンセプトをあいまいにすることを避けるために、ブロック図の形で示される。理解を容易にするために、同様の構成には、同一の要素番号が付される。
【００２２】
開示される実施の形態は、上述した医療ワークフローの構成に関する問題に関し、その問題を解決する。実施の形態は、医療従事者が特定の医療タスクを完遂するために、ただ一つの特定の順序のアクションに従う必要を最小限に又は排除することにより、少なくとも部分的にこれらの問題を解決する。開示される実施の形態は、少なくとも、医療従事者によりスキャンされた医療アイテムの識別情報に基づいて、医療従事者のワークフローを予測することにより、これらの問題を解決する。ある実施の形態において、ワークフローの予測は、医療従事者の以前のアクション及びメニュー選択に応答して、表示装置において医療従事者に表示されるメニューを生成するために用いられる。
【００２３】
ある実施の形態によれば、ワークフローの予測は、患者の識別（ＩＤ）タグ又は医療パッケージラベルなどのラベルをスキャンする医療従事者の行動により誘起される。スキャンされた医療オブジェクトの識別子を用いて、コンピュータにおける予測プロセスは、医療従事者が次にとりうる行動を計算する。予測された次のアクションに基づいて、コンピュータは、次にとりうるアクションの履行を促すために、医療従事者にメニューを表示するようディスプレーに指示する。予測プロセスは、セッション中に医療従事者により実行された以前のスキャンに基づいて適合させる。したがって、ある態様において、予測プロセスは、医療従事者が様々な医療オブジェクトをスキャンする特定の順序を覚える必要を軽減する。
【００２４】
図１は、本開示の特定の機器構成に係るシステム１１０の簡略化された図を示す。システム１１０は、病院ネットワーク１０４を介してコンピュータサーバ１００（サーバ）との間で通信可能な１以上の医療装置１０２を含む。システム１１０は、サーバ１００に通信可能に接続されたインタフェース１０８を更に含む。サーバ１００は、医療従事者に表示を行うためにインタフェース１０８と通信する。インタフェース１０８は、ユーザに表示を提供するだけでなく、ユーザがシステム１１０に対して情報を入力するための入力装置を提供する。インタフェース１０８の例としてタッチスクリーンがあるが、別の実施の形態において、インタフェース１０８は別々のディスプレー及び入力装置を含む。インタフェース１０８は、ユーザの相互作用（例えば、メニューの選択）をサーバ１００へ送信する。ある実施の形態において、インタフェース１０８は、直接サーバ１００に接続される。別の実施の形態において、インタフェース１０８は、サーバ１００から離れて配置され、病院ネットワーク１０４を介してサーバ１００との間で通信する。更に別の実施の形態において、インタフェース１０８は、医療装置１０２に統合される。
【００２５】
さらに図１を参照して、システム１１０は、管理ネットワーク１０５を介してサーバ１００に通信可能に接続された医療データベース１０６を更に含む。サーバ１００は、医療従事者の医療装置１０２及び／又はインタフェース１０８との間の相互作用に基づいて、医療従事者のワークフローを予測するように構成される。サーバ１００は、ワークフローの予測に有用な特定の関連情報を取得し、又は格納するために、データベース１０６との間で通信する。限定ではない例示として、ある構成において、サーバ１００は、サーバ１００のプロセッサ上で実行されるソフトウェアアプリケーションを用いて、医療従事者のワークフローを予測する。
【００２６】
さらに図１を参照して、限定ではない例示として、医療装置１０２は、コンピュータ、携帯電話、ラップトップコンピュータ、シンクライアント装置、ＰＤＡ、携帯型計算装置、バーコードスキャナ、ＲＦＩＤ（radio frequency identification）受信機、又はその他のプロセッサを備えた装置であってもよい。「スキャニング」及び「スキャン」という語は、本明細書において使用されるとき、構成からプロセッサへ情報を送信する有線又は無線のオペレーションを指す。これは、例えば、赤外線受信機によるバーコードスキャニング、ＲＦＩＤアンテナを用いたＲＦＩＤの検知、手動によるバーコード又は患者情報の読み出し及びコンピュータへの入力などを含む。
【００２７】
さらに図１を参照して、限定ではない例示として、ネットワーク１０４及び１０５は、例えば、モデム接続、イーサネット（登録商標）を含むＬＡＮ接続、ＤＳＬ、ケーブル、Ｔｌ、Ｔ３、光ファイバー、Ｗｉ−Ｆｉ、又はＧＳＭ（登録商標）、ＧＰＲＳ、３Ｇ、ＷｉＭａｘを含むモバイルネットワーク接続を含むブロードバンドＷＡＮ接続、又は他のネットワーク接続であってもよい。ある構成において、病院ネットワーク１０４は、医療装置１０２とサーバ１００との間の専用のポイントツーポイントリンク（例えば、ブルートゥース又は無線ＵＳＢリンク）である。
【００２８】
図２は、本開示の特定の機器構成に係るサーバ１００の構成２００の簡略化されたブロック図を示す。オペレーティングシステム（ＯＳ）２１８は、医療情報受付部２０２、ワークフロー予測部２０４、メニュー送信部２０６、認証部２０８、状態判定部２１０、データベースアクセス部２１２、データベース更新部２１６、及びセッション管理部２１４と通信する。本開示の特定の態様に係るこれらの構成の特徴及び機能は、ソフトウェア、ハードウェア、及び／又はそれらの組み合わせにより容易に実現することができ、本開示において更に説明される。
【００２９】
図３Ａは、本開示のある態様に係る、サーバ１００において実装されたプロセス３００の例を示すフローチャートである。サーバ１００は、医療装置１０２からメッセージを受信するように構成される。プロセス３００は、演算３０２において、医療情報データを含むメッセージを受信したサーバ１００により開始される。ある構成において、医療従事者は、バーコードラベルをスキャンするために、又は、医療オブジェクトのＲＦＩＤのスキャンを実行するために、医療装置１０２（例えば、バーコードリーダ）を使用する。医療オブジェクトは、例えば、薬物のガラス瓶、食材、患者の識別情報を含む患者のリストバンドなどであってもよい。ある構成において、医療従事者は、例えば、タッチスクリーン又はキーボードを介して、医療オブジェクトの識別情報を医療装置１０２に直接入力する。
【００３０】
医療従事者によるスキャン又は他の入力に応答して、医療装置１０２は、特定の医療情報を含むメッセージをサーバ１００へ送信する。ある実施の形態において、メッセージは、インターネットプロトコル（ＩＰ）パケット又は他の任意の既知の装置間通信のフォーマットの形式をとる。医療情報データは、医療オブジェクトの識別情報を含む。例えば、医療情報データは、医療オブジェクトを一意に表すバーコード値又はＲＦＩＤ値を含んでもよい。
【００３１】
医療情報受付部２０２（図２）は、サーバ１００により受信された医療情報データを含むメッセージを処理する。ある構成において、医療情報受付部２０２は、受信したメッセージをパースして医療情報データを抽出する。ある構成において、医療情報受付部２０２は、医療装置１０２が不正な医療装置でないことを保証するために、医療装置１０２の認証を実行する。
【００３２】
セッション管理部２１４は、受信した医療情報に基づいて、受信したメッセージにセッションを関連付ける。ある構成において、ワークフローの予測は、ワークフローについてのセッションのコンテキストにおいて実行される。例えば、ある構成において、セッション管理部２１４は、患者のＩＤスキャンを受信するたびに、又は、医療従事者がログインするたびに、新しいセッションを生成する。ある構成において、後で詳述するワークフロー予測プロセスは、医療従事者の次のアクションを予測するために、セッション中に受信した１から全てのメッセージを利用することによりワークフローを予測する。
【００３３】
さらに図３Ａを参照して、演算３０４において、サーバ１００のワークフロー予測部２０４は、受信した医療情報データを少なくとも部分的に使用して、医療従事者のワークフローを予測する。ある構成において、ワークフロー予測部２０４は、医療情報データにおいて送信された識別情報を有する医療オブジェクトについて可能なアクションに基づいて、医療従事者のワークフローを予測する。例えば、スキャンされた医療オブジェクトが「ミルク」である場合、ワークフロー予測部２０４は、予測されるアクションのリストに、「授乳」、「保管」、及び「授乳記録」アクションを含む、ミルクについてとることが可能な全てのアクションを含ませる。スキャンされた医療オブジェクトが患者のリストバンドに対応する場合、ワークフロー予測部２０４は、患者の識別情報を用いて、医療従事者が次にとりうるアクションを予測する（例えば、患者に投薬する、又は、患者の体温を計るなど）。
【００３４】
さらに図３Ａを参照して、状態判定部２１０は、医療オブジェクトの識別情報に基づいて、スキャンされた医療オブジェクトに関連付けられた状態（又は複数の状態）を判定する。例えば、スキャンされた医療オブジェクトが患者のリストバンドである場合、状態判定部２１０は、患者が手術前の状態、手術後の状態、観察下の状態などにあるか否かを判定する。状態判定部２１０は、データベース１０６から、患者の生命状態（例えば、体重、薬アレルギーなど）に関する情報を更に取得する。例えば、スキャンされた医療オブジェクトが薬品のガラス瓶である場合、状態判定部２１０は、期限状態（薬品が期限切れか否か）、リコール状態（薬品についてリコールが発行されているか否か）などを判定する。状態判定部２１０は、データベースアクセス部２１２を介してデータベース１０６を参照することにより、スキャンされた医療オブジェクトの状態についての判定を行う。状態判定部２１０は、スキャンされた医療オブジェクトに関連付けられて、サーバ１００に接続されたメモリ（例えば、データベース１０６）に格納された状態のエントリ及びそれらの値を読み出すことにより、スキャンされた医療オブジェクトの状態を判定する。状態判定部２１０は、取得した状態情報をワークフロー予測部２０４に送る。
【００３５】
さらに図３Ａを参照して、ワークフロー予測部２０４は、状態判定部２１０から取得した状態情報及びセッション管理部２１４から取得したセッション情報に基づいて、医療従事者のワークフローにおいて次にとる可能性のあるアクションを予測する。ある構成において、ワークフロー予測部２０４は、一つの次に取りうるアクションを予測する。または、別の構成において、ワークフロー予測部２０４は、複数のレベルの次にとりうるアクション（例えば、次にとりうるアクション及び次の次に取りうるアクションなど）を予測する。必要であれば、ワークフロー予測部２０４は、医療従事者のワークフローを予測するために、データベースアクセス部２１２を介してデータベース１０６に更に問い合わせ、患者の診断上の要求を確認する。ワークフロー予測部２０４は、前述したように、受信した医療情報データにおいて識別された医療オブジェクトに関連付けられた状態（又は複数の状態）を判定するために、状態判定部２１０と更に通信する。
【００３６】
ある構成において、予測演算３０４は、データベースを参照する演算を含む。例えば、医療データベース１０６は、特定の医療オブジェクト（例えば、薬）についてとりうるオペレーションのリストを含んでもよく、ワークフロー予測部２０４は、医療従事者により次にとりうると予測されるアクションとして、医療オブジェクトに関連付けられたリストを簡便に使用してもよい。ある構成において、予測演算は、医療データベース１０６において医療オブジェクトに関連付けられた、医療従事者により次にとりうるいくつかのアクションのうち１つを選択することを含む。ある構成において、予測演算は、医療従事者（又は看護師などの類似した役割を有する別の医療従事者）及び／又は同一の患者による過去のアクションに関連する情報を用いて、これらのアクションを予測されるワークフローに含めることを含む。したがって、ある態様において、ワークフロー予測部２０４は、医療従事者による以前のワークフロー及び選択に関する情報をメモリに格納することによって、自身を学習させることができる。ある構成において、予測演算は、演算３０２において受信したメッセージに含まれる医療オブジェクトに基づいて次にとりうるアクションを選択するために、進行中のセッションの間に医療従事者により以前に実行されたアクションを用いる。
【００３７】
ある構成において、予測演算は、医療従事者によりとりうるアクションに確率を関連付けてもよい。次にとりうるアクションに関連付けられた確率は、メニューにおけるアクションの表示の優先順位をつけるために用いられてもよい。例えば、確率の高いアクションは、医療従事者に対するメニューリストの最上に表示されてもよいし、強調表示されてもよい（例えば、色又はフォントサイズ）。
【００３８】
さらに図３Ａを参照して、演算３０６において、サーバ１００のメニュー送信部２０６は、ワークフロー予測部２０４から取得した予測されたワークフローに基づいて、インタフェース１０８上で医療従事者に対して表示するための、１以上の医療アクションの候補を含むメニューを送信する。メニュー送信部２０６からインタフェース１０８へのメニューの送信において、様々なフォーマットが可能である。例えば、ある構成において、メニュー送信部２０６は、表示命令又はグラフィックスコマンドを含めることにより、インタフェース１０８上に表示されるデータを伝達する。このような構成は、インタフェース１０８が医療装置１０２に埋め込まれ、医療装置１０２がグラフィックスコマンドを受信し、グラフィックスコマンドをデコードすることにより医療従事者に対してメニューを表示することが可能なプロセッサを有する場合に適している。例えば、メニュー送信部２０６は、インタフェース１０８上のメニューのフォント、サイズ、色、及び位置などの表示プロパティを指定してもよい。例として、ある構成において、メニュー送信部２０６は、メニューを指定するためにＨＴＭＬ（hypertext markup language）などの既知の技術を利用する。または、ある構成において、インタフェース１０８はサーバ１００に直接接続され、メニュー送信部２０６は、ＶＧＡ（video graphics array）などのいくつかの既知のグラフィックス周辺スタンダードのうちの１つを利用して、メニューをインタフェース１０８へ送信する。
【００３９】
さらに図３Ａを参照して、ある構成において、メニュー送信部２０６は、予測されたワークフローに１以上のアクション項目を含ませるが、アクション項目の表示を不可にする又は「グレイアウト」して、医療従事者がメニュー上のアクション項目を見ることができるが、メニューからそれを選択することによりアクション項目と相互作用することができないようにする。例えば、在庫に補充するために新しい薬品を注文するためのメニュー項目の表示は、メニュー送信部２０６が在庫に十分な量があると判定した場合、グレイアウトされてもよい。ある構成において、メニュー送信部２０６は、アクション項目の不可視化に関する決定をするために、時刻、スキャンされた医療オブジェクトに関連付けられた状態値などの１以上の演算パラメータを利用する。グレイアウトされた項目は、医療従事者の今後の参考として、スキャンされた医療オブジェクトに対してそのようなアクションが可能であることを医療従事者に気づかせるために表示される。
【００４０】
ある実施の形態において、ワークフローデータベース更新部２１６は、システム管理者の入力に基づいて、データベース１０６の更新を可能とする。例えば、システム管理者は、患者に提供される医療の質を向上させるためにワークフローデータベースを更新してもよい。システム管理者は、システム管理者により管理されるいくつかの医療施設における「最良の業務」に適合させるためにデータベース１０６を更新してもよい。ある構成において、データベース１０６の更新は、受信される医療オブジェクトのＩＤに関連付けられた予測されるワークフローのリストの更新を含む。ある構成において、データベース１０６の更新は、「薬品Ｘと薬品Ｙを同時に投与しない」などの新しい患者のケアのルールを追加することを含む。
【００４１】
図３Ｂを参照して、データベース１０６のエントリの概念的なブロック図が示される。ある実施の形態において、医療データベース１０６は、複数の医療オブジェクト３５２のリスト３５０を含む。リスト３５０中のそれぞれの医療オブジェクト３５２について、医療データベース１０６は、医療従事者がとりうる複数の可能性のあるアクション３５４を含む。複数の可能性のあるアクション３５４のそれぞれは、ゼロ又は１以上の状態３５６を有する。ある構成において、複数の医療オブジェクトのリスト３５０は、「未知」の医療オブジェクトのためのデフォルトエントリ３６０を更に含む。
【００４２】
例として、リスト３５０は、「患者」、「薬瓶」、「食品」、「静脈内注入液容器」などの医療オブジェクトを含む。例として、「薬瓶」の医療オブジェクト３５２に対応するエントリの、可能性のあるアクション３５４は、「投与」及び「廃棄」を含む。例として、「未知」のエントリ３６０に対応する、可能性のあるアクションは、「再スキャン」、「手動入力に切替」、「ヘルプ」、及び「システム管理者に連絡」を含む。サーバ１００がスキャンされた医療オブジェクト３５２を認識できなかった場合、サーバ１００は、「未知」のエントリ３６０に対応する、可能性のあるアクション３５４のリストを表示するよう医療装置１０２に要求する。
【００４３】
さらに図３Ｂを参照して、複数の可能尾性のあるアクション３５４に関連付けられた状態３５６の例は、上述した様々な患者の状態（例えば、手術前の状態など）、バイタルサイン状態などを含む。ある構成において、データベース１０６のエントリは静的であり、データベース１０６が使用される医療施設のルールに基づいて予め決定される。ある構成において、サーバ１００は随時データベース１０６のエントリ及び状態フィールド３５６の値を更新する。例えば、サーバ１００は、医療従事者の以前のスキャン及び／又は選択に依存してエントリを更新する。
【００４４】
限定でない例示として、医療従事者のアクションを予測することにより医療従事者のワークフローを適合させる方法は、医療従事者が乳児にミルクを与え、医療記録に授乳を記録するワークフローの例を用いて、以下で更に詳述される。とくに、「授乳の記録」のタスクを実行するための２つの異なるワークフローが以下に説明される。図４Ａ及び４Ｂに示されるワークフローは、一般に、サーバ１００が医療従事者のワークフローを予測しない従来技術の「静的な」ワークフローに関連する。他方、図４Ｃに示されるワークフローにおいて、サーバ１００は、スキャンされた医療オブジェクトの識別情報に基づいて、ワークフローを予測する。
【００４５】
図４Ａを参照して、方法４０１は、医療ワークフローシステムがワークフローを予測しない場合に、乳児の患者に対するミルクの投与を記録することに関する従来の方法の例を示す。演算４０３において、メニューが医療従事者に表示される。メニューは、いくつかの可能性のあるタスクのリストを含む。一般に、このタスクのリストは、授乳を記録する現在のタスクに直接関連のないいくつかのタスクを含む。医療従事者は、表示されたタスクから選択する。医療従事者は、授乳を記録しようとしているので、「授乳の記録」のワークフローに作用する。授乳記録ワークフローにおいて、医療従事者は、ミルクの機能（演算４０５）を選択するか、又は、乳児の機能（演算４０７）を選択する。この医療従事者による選択に基づいて、ミルクに関する可能な機能のメニューが医療従事者に示される（演算４０９）か、又は、乳児の機能のメニューが医療従事者に表示される（演算４１１）。演算４１３において、ミルク又は乳児の機能の表示されたメニューに応答して、医療従事者は、授乳セッションを記録したいことを示す。演算４１５において、医療従事者は、乳児のＩＤを要求される。医療従事者は、患者の識別情報を含むバーコード（例えば、患者の腕輪）をスキャンする。
【００４６】
図４Ａに示された演算についての上述した説明から分かるように、医療従事者は、単に乳児のＩＤブレスレットをスキャンすることにより「授乳の記録」ワークフローを開始することはできない。その代わりに、医療従事者は、医療オブジェクト（乳児のＩＤ）をスキャンすることが可能となる前に、複数のメニュー画面を通過する必要がある。
【００４７】
さらに図４Ａを参照して、演算４１７において、サーバ（図４Ａには示されない）は、サーバが受信した乳児のＩＤを照合する。スキャンされた乳児のＩＤが有効でない場合、エラーメッセージが医療従事者に対して表示される。スキャンされた乳児のＩＤが有効である場合、演算４１９において、サーバは、「授乳タイプの選択」メニュー画面を表示するよう医療装置１０２に要求する。ある構成において、医療従事者は、調合乳の授乳、母乳の授乳、及び容器の授乳の少なくとも３つの選択が与えられる。
【００４８】
図４Ｂを参照して、医療従事者が「調合乳の授乳」のオプションを選択した場合、演算４２１において、「調合乳の授乳イベントを記録」のメニュー画面が医療従事者に対して表示される。医療従事者が母乳の授乳のオプションを選択した場合、演算４２３において、「母乳の授乳イベントを記録」のオプションが医療従事者に対して表示される。医療従事者が容器の授乳のオプションを選択した場合、演算４２５において、「授乳イベントリスト」のオプションが医療従事者に対して表示される。
【００４９】
さらに図４Ｂを参照して、演算４２１又は４２３において「調合乳の授乳」又は「母乳の授乳」イベントが選択された場合、演算４２９において、医療従事者（例えば、看護師）は、医療装置に適切なデータを入力することにより、授乳イベントを記録する。演算４３３において、サーバはデータベース１０６と通信し、授乳イベントを登録する。演算４２５において「授乳イベントリスト」が選択された場合、可能性のあるイベントのメニューが医療従事者に表示される。演算４２７において、医療従事者は、表示されたメニューからイベントを選択する。選択に応答して、演算４３１において、サーバ１００は、容器による授乳を記録するためのフォームを表示するようインタフェース１０８（図４Ｂには示されない）に指示する。記録の前に予測される遅延（例えば、典型的な授乳が終了するまで待つこと）が入力された場合、医療従事者は、授乳イベントを記録し（演算４３５）、サーバは、演算４３７において、サーバにより保持される容器の状態を変更する。授乳の記録が可能となる前に予測される遅延が経過した場合、サーバ１００は、医療従事者に遅延メッセージを表示する（演算４３９）。
【００５０】
図４Ｃは、スキャンされた医療アイテムの識別情報に基づいて、医療従事者のワークフローを予測するために、本開示のスキャナーを用いて実行される方法４００の例を示す。演算４０２において、医療従事者は、医療オブジェクトをスキャンする。例えば、スキャンされるオブジェクトは、乳児の患者のリストバンド又はミルクの容器であってもよい。スキャンされた医療オブジェクトに関連する医療情報データを含むメッセージを受信すると、サーバ１００は、演算４０４において、受信したＩＤを照合する。例えば、スキャンされたＩＤが乳児の患者のものであった場合、演算４０４において、サーバ１００は、その乳児の患者が現在入院している患者であるか照合する。スキャンされたＩＤが有効な乳児に対応する場合、演算４０６において、サーバ１００は、乳児に関連するアクションのメニューを医療従事者に対して表示するためのメッセージを医療装置１０２へ送信する。例えば、アクションの１つは、乳児の患者に対する授乳を記録することに関する。医療従事者は、病院の医療記録に、乳児の患者に与えられた授乳を記録したいので、演算４０８において、「授乳を記録」のオプションを選択する。
【００５１】
図４Ａ及び図４Ｂに示された方法４０１と比較すると、医療従事者は、まず医療オブジェクトのＩＤをスキャンすることにより、現在のタスク（授乳の記録）をサーバ１００へ送信することができる。したがって、方法４００は、医療従事者が乳児の授乳の記録に関する現在のタスク（ワークフロー）をサーバ１００に送信する前に、一連のメニューを通過する必要をなくすことができる。
【００５２】
さらに図４Ｃを参照して、演算４１０において、サーバ１００は、医療装置１０２に表示要求を送信することにより、医療従事者に対する「授乳タイプの選択」メニューの表示を促す。医療従事者が「母乳の授乳」メニューを選択すると（演算４１２）、サーバ１００は、「乳児に母乳を授乳」のアクションから予測されるワークフローのメニューを表示するための要求を医療装置１０２に送信する。医療従事者が「調合乳の授乳」のメニューを選択すると（演算４１４）、サーバ１００は、「調合乳の授乳」のアクションの選択及び乳児の患者ＩＤから予測されるワークフローのメニューを表示するための要求を医療装置１０２に送信する。演算４１２又は演算４１４のいずれかにつづいて、医療従事者は、演算４１６において、授乳イベントを記録する。
【００５３】
さらに図４Ｃを参照して、演算４１０において、医療従事者が「容器の授乳」のメニューを選択すると、サーバ１００は、医療従事者が実行したいであろう可能なアクションを予測し、演算４１８において、予測されたアクションを含むメニューを医療装置１０２へ送信する。演算４２０において、医療従事者は、表示されたメニューからアクションを選択することができる。演算４２０における医療従事者の選択に応答して、サーバ１００は、演算４２２において、「容器の授乳を記録」のアクションのリストを表示するための要求を医療装置１０２に送信する。演算４０２において、医療資産ＩＤスキャナが容器のものであり、演算４２４において、サーバ１００がスキャンされた容器ＩＤと病院の乳児の識別情報を関連付けることが可能であった場合、演算４２２において、医療従事者は同様のメッセージを示される。演算４２６において、サーバ１００は、予測される遅延（例えば、乳児の患者に対する授乳の継続時間）が経過したか確認する。遅延時間が経過した場合、演算４３０において、サーバ１００は、医療従事者による授乳イベントの記録を促す。演算４３２において、サーバ１００は、授乳を反映させるために、病院ネットワークに接続された医療データベースを更新する。サーバ１００は、演算４０２においてスキャンされた容器に関連付けられた状態を、例えば、容器が使用されたことを示すように変更する。サーバ１００が演算４２６において遅延時間が経過していないと判定した場合、演算４２８において、サーバ１００は、医療従事者に対して遅延メッセージを表示するために、医療装置１０２にメッセージを送信する。
【００５４】
図４Ａに示した方法４０１と比較して、図４Ｃに示した方法４００は、医療従事者による医療オブジェクト（例えば、ミルクの容器又は乳児の患者のリストＩＤ）のスキャンにより開始される。スキャンされた医療オブジェクトの識別情報に基づいて、サーバ１００は、医療従事者のワークフローを予測し、医療従事者にメニューアクション項目を表示する。いくつかの態様において、様々なスキャンが実行される正確な順序は、ワークフローの実行の成功には関係がない。例えば、方法４００において、医療従事者は、何を遂行しようとしているかをサーバ１００に送信するために、複数のメニュー画面を通過する必要がない。それに代えて、医療従事者は、サーバ１００が医療従事者のワークフローを予測するために、乳児のＩＤ及びミルク容器をスキャンするだけでよい。さらに、乳児ＩＤがスキャンされ、容器ＩＤがスキャンされる正確な順序は、ワークフローを支援するサーバ１００にとって関係がない。
【００５５】
本開示のある態様において、受信したバーコードスキャン情報から医療従事者のワークフローを予測することにより、医療従事者を医療タスクのメニューに導く、適合性のあるワークフロー方法が提供されることが理解されよう。ある構成において、サーバに通信可能に接続された医療装置は、オペレーションの開始とともに「トップレベル」メニューを表示し、医療従事者からのバーコードスキャンを待機する。バーコードスキャンに関連するデータを受信すると、サーバは、何がスキャンされたかを解釈し、以前にスキャンされたオブジェクトについて意味のある医療タスクを実行することを可能とするように、医療従事者に対してアクションのメニューを表示する。サーバは、任意のバーコードフォーマットを受け入れるように構成される。
【００５６】
ある構成において、医療従事者は、患者ＩＤ、乳児ＩＤ、又はミルク容器ＩＤなどの医療オブジェクトをスキャンするために、バーコードリーダ又は他の装置を使用する。何がスキャンされたかに基づいて、システムは、医療従事者に対する次にとりうるタスクの表示を促す。ある構成において、例えば、図１〜４Ｃを参照して上述したように、医療従事者は、乳児にミルクを与える看護師である。看護師がバーコードをスキャンする順序（例えば、乳児のリストバンドのＩＤが先か、ミルクの容器のＩＤが先か）にかかわらず、サーバ１００は、ワークフローが乳児への授乳に関連することを予測することができる。この予測に基づいて、サーバ１００は、看護師に対する適切な医療タスクのメニューの表示を促す。
【００５７】
図５〜９は、ワークフローの予測により医療タスクを完遂するまでの間に、インタフェース１０８上で医療従事者に対して表示される様々な表示画面を示す。例えば、ある構成において、インタフェース１０８は、バーコード及び／又はＲＦＩＤのスキャナなどの医療装置１０２とは別に設けられる。このような構成において、医療従事者は、医療装置１０２を用いてバーコードをスキャンし、インタフェース１０８に表示されたメニューと相互作用する。
【００５８】
図５は、本開示のある態様に係るメニュー画面５００の例を示す。ある構成において、医療装置１０２は、図１〜４Ｃを参照して上述した様々なアプリケーションの構成に係る予測ワークフロースキャニングアプリケーションに医療従事者がログインするためのメニュー画面５００を表示する。メニュー画面５００は、医療従事者がユーザ名を入力する領域５０２と、パスワードを入力する領域５０４を含む。ある構成において、医療従事者が画面５００からログインするとき、セッション管理部２１４は、ワークフロー予測のための新しいセッションを開始する。
【００５９】
図６は、本開示のある態様に係るメニュー画面の例を示す。メニュー画面６００は、本開示のワークフロー予測計算に基づいて、次に実行すべきアクションを提案するために医療従事者に表示されるメッセージを示す。この場合、提案されたアクションは、患者のリストバンド又は医療容器のラベルをスキャンすること、又は、より可能性のあるアクションを取得するためにインタフェース１０８をタップすることを含む。
【００６０】
図７は、本開示のある態様に係るメニュー画面の例を示す。インタフェース１０８のメニュー画面７００は、医療従事者の識別情報及び患者の識別情報を表示するための表示領域７０２を含む。メニュー画面７００は、標題表示領域７０４に示されるように、乳児の患者に対してとりうるアクションを表示するための乳児機能のリストを含む。メニュー画面７００は、医療従事者のワークフローを予測することにより算出された、医療従事者が実行を要する可能性のあるアクションのリストを更に含む。図７に示した例では、領域７０４に「乳児機能」アクション、領域７０６に「確認タスク」、領域７０８に「授乳」アクション、領域７１０に「授乳記録」、及び領域７１２に「ラベル印刷」が表示される。メニュー画面７００は、図４Ｃで説明した演算４０６において、医療従事者に対して表示されるメニューの例である。
【００６１】
図８は、本開示のある態様に係るメニュー画面の例を示す。メニュー画面８００は、医療従事者の識別情報及び患者の識別情報を表示するための表示領域８０２を含む。メニュー画面８００は、標題表示領域８０４に示されるように、成人の患者に対してとりうるアクションを表示する成人機能のリストを含む。メニュー画面８００は、医療従事者のワークフローを予測することにより算出された、医療従事者が実行を要する可能性のあるアクションのリストを更に含む。図８に示した例では、領域８０４に「成人機能」アクション、領域８０６に「確認タスク」、領域８０８に「ラベル印刷」アクション、領域８１０に「採乳」アクションが表示される。
【００６２】
図９は、本開示のある態様に係るメニュー画面の例を示す。メニュー画面９００は、医療従事者の識別情報及び患者の識別情報を表示するための表示領域９０２を含む。メニュー画面９００は、標題表示領域９０４に示されるように、ミルクに対してとりうるアクション（例えば、ミルクの容器が医療オブジェクトとしてスキャンされたとき）を表示するためのミルク機能のリストを更に含む。メニュー画面９００は、医療従事者のワークフローを予測することにより算出された、医療従事者が実行を要する可能性のあるアクションのリストを更に含む。図９に示した例では、領域９０６に「採乳」アクション、領域９０８に「授乳」アクション、領域９０８に「ミルク強化」アクション、領域９１２に「授乳記録」アクションが表示される。
【００６３】
図５〜９を参照して上述したメニュー画面５００、６００、７００、８００、及び９００は、乳児の患者に授乳するためのワークフローにおける様々なオペレーションで利用される。例えば、図４Ｃに示した方法４００において、メニュー画面７００は演算４０６で表示されてもよい。同様に、メニュー画面６００は演算４０２で表示されてもよい。
【００６４】
ある態様において、ここで説明されたワークフロー予測技術は、医療オブジェクトをスキャンする特定の順序を覚える必要から医療従事者を解放する。本開示の方法及びシステムは、医療従事者のワークフローに対する混乱を最小限にする方法で医療従事者に表示されるメニュー画面を管理するための、医療施設におけるサーバを提供する。ある態様において、医療従事者は、以前の医療ワークフロー中のアクションに基づいて、次のアクションをより良く予測するように、システムを「学習」させる。したがって、本開示の構成は、医療従事者が、特定の医療タスクを完遂するために、医療従事者から期待される入力及びメニュー画面を覚える必要を軽減する。ある態様において、ワークフローの予測は、医療従事者によりスキャンされた医療オブジェクトのＩＤに基づく。
【００６５】
本開示の実施の形態は、詳細に説明され、図示されたが、それは、図解及び例示のみを目的としており、限定を目的とするととられるべきではなく、本発明の範囲が添付の特許請求の範囲の文言によってのみ限定されることは、明確に理解されるべきである。
【００６６】
本明細書で説明された全ての要素、部分、及びステップは、好ましくは含まれる。当業者には明らかであるように、これらの要素、部分、及びステップのいずれかが、他の要素、部分、及びステップにより置換されてもよいし、全く削除されてもよいことが理解されよう。
【００６７】
この文書は、広く、ネットワークに接続されたコンピュータシステムを開示する。  コンピュータはデータを有するメッセージを受信し、データはコンピュータによるワークフローの予測を促進し、このワークフローの予測によりオプションのメニューが表示可能となる。
【００６８】
［コンセプト］
本明細書は、少なくとも下記のコンセプトを開示する。
［コンセプト１］
病院ネットワークに接続されたプロセッサにおいて実行される、医療ワークフローを適合させる方法であって、
医療情報データを含むメッセージを取得するステップと、
前記医療情報データを少なくとも部分的に使用して、医療従事者のワークフローを予測するステップと、
予測に基づいて、１以上の医療アクションの候補を含むメニューをインタフェースに送信するステップと、
を備えることを特徴とする方法。
［コンセプト２］
前記予測するステップは、前記医療従事者の識別情報及び認証レベルを用いて予測するステップを含むことを特徴とするコンセプト１に記載の方法。
［コンセプト３］
前記医療情報データは、患者の識別情報、医療アイテムの識別情報、及びバーコード情報のうち少なくとも１つを含むことを特徴とするコンセプト１に記載の方法。
［コンセプト４］
前記医療情報データは、前記医療従事者により選択された医療アクションを含むことを特徴とするコンセプト１に記載の方法。
［コンセプト５］
前記医療情報データに関連付けられた状態を判定するステップを更に備えることを特徴とするコンセプト１に記載の方法。
［コンセプト６］
前記予測するステップは、前記医療情報データに関連付けられた前記状態を用いて予測するステップを含むことを特徴とするコンセプト５に記載の方法。
［コンセプト７］
最初の前記メッセージにセッションを関連付けるステップを更に備えることを特徴とするコンセプト１に記載の方法。
［コンセプト８］
前記予測するステップは、前記セッション情報に基づいて予測するステップを含むことを特徴とするコンセプト７に記載の方法。
［コンセプト９］
前記予測するステップは、
医療アクションの候補のエントリを含むワークフローデータベースにアクセスするステップと、
前記医療従事者の予測されたワークフローに、少なくとも１つの医療アクションの候補を含めるステップと、
を含むことを特徴とするコンセプト１に記載の方法。
［コンセプト１０］
システム管理者の入力に基づいて前記ワークフローデータベースを更新するステップを更に備えることを特徴とするコンセプト１に記載の方法。
［コンセプト１１］
前記メニューからメニュー項目を無効化することを促すステップを更に備えることを特徴とするコンセプト１に記載の方法。
［コンセプト１２］
医療ワークフローを適合させるための命令が記録されたコンピュータ読み取り可能な記録媒体であって、
前記命令は、プロセッサに、
医療情報データを含むメッセージを取得するステップと、
前記医療情報データを少なくとも部分的に使用して、医療従事者のワークフローを予測するステップと、
予測に基づいて、１以上の医療アクションの候補を含むメニューをインタフェースに送信するステップと、
を実行させるコードを備えることを特徴とする記録媒体。
［コンセプト１３］
予測するための前記コードは、前記医療従事者の識別情報及び認証レベルを用いて予測するためのコードを含むことを特徴とするコンセプト１２に記載のコンピュータ読み取り可能な記録媒体。
［コンセプト１４］
前記医療情報データは、患者の識別情報、医療アイテムの識別情報、及びバーコード情報のうち少なくとも１つを含むことを特徴とするコンセプト１２に記載のコンピュータ読み取り可能な記録媒体。
［コンセプト１５］
医療ワークフローを適合させるためのシステムであって、
サーバと、
インタフェースを有するスキャナと、
データベースと、を備え、
前記サーバは、
医療情報データを含むメッセージを前記スキャナから取得するように構成された医療情報受付部と、
前記医療情報データを少なくとも部分的に使用して、医療従事者のワークフローを予測するように構成されたワークフロー予測部と、
予測に基づいて、１以上の医療アクションの候補を含むメニューを、前記インタフェースに表示するために前記スキャナに送信するように構成されたメニュー送信部と、
を備えることを特徴とするシステム。
［コンセプト１６］
前記ワークフロー予測部は、前記医療従事者の識別情報及び認証レベルを用いて予測するように更に構成されることを特徴とするコンセプト１５に記載のシステム。
［コンセプト１７］
前記医療情報データに関連付けられた状態を判定するように構成された状態判定部を更に備えることを特徴とするコンセプト１５に記載のシステム。
［コンセプト１８］
前記ワークフロー予測部は、前記医療情報データに関連付けられた前記状態を用いて予測するように更に構成されることを特徴とするコンセプト１７に記載のシステム。
［コンセプト１９］
最初の前記メッセージにセッションを関連付けるように構成されたセッション管理部を更に備えることを特徴とするコンセプト１５に記載のシステム。
［コンセプト２０］
前記ワークフロー予測部は、前記セッション情報に基づいて予測するように更に構成されることを特徴とするコンセプト１９に記載のシステム。
【図１】
2013515324.tif 000003
【図２】
2013515324.tif 000004
【図３Ａ】
2013515324.tif 000005
【図３Ｂ】
2013515324.tif 000006
【図４Ａ】
2013515324.tif 000007
【図４Ｂ】
2013515324.tif 000008
【図４Ｃ】
2013515324.tif 000009
【図５】
2013515324.tif 000010
【図６】
2013515324.tif 000011
【図７】
2013515324.tif 000012
【図８】
2013515324.tif 000013
【図９】
2013515324.tif 000014
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
病院ネットワークに接続されたプロセッサにおいて実行される、医療ワークフローを適合させる方法であって、
医療情報データを含むメッセージを取得するステップと、
前記医療情報データを少なくとも部分的に使用して、医療従事者のワークフローを予測するステップと、
予測に基づいて、１以上の医療アクションの候補を含むメニューをインタフェースに送信するステップと、
を備えることを特徴とする方法。
【請求項２】
前記予測するステップは、前記医療従事者の識別情報及び認証レベルを用いて予測するステップを含むことを特徴とする請求項１に記載の方法。
【請求項３】
前記医療情報データは、患者の識別情報、医療アイテムの識別情報、及びバーコード情報のうち少なくとも１つを含むことを特徴とする請求項１又は２に記載の方法。
【請求項４】
前記医療情報データは、前記医療従事者により選択された医療アクションを含むことを特徴とする請求項１から３のいずれかに記載の方法。
【請求項５】
前記医療情報データに関連付けられた状態を判定するステップを更に備えることを特徴とする請求項１から４のいずれかに記載の方法。
【請求項６】
前記予測するステップは、前記医療情報データに関連付けられた前記状態を用いて予測するステップを含むことを特徴とする請求項５に記載の方法。
【請求項７】
最初の前記メッセージにセッションを関連付けるステップを更に備えることを特徴とする請求項１から６のいずれかに記載の方法。
【請求項８】
前記予測するステップは、前記セッションの情報に基づいて予測するステップを含むことを特徴とする請求項７に記載の方法。
【請求項９】
前記予測するステップは、
医療アクションの候補のエントリを含むワークフローデータベースにアクセスするステップと、
前記医療従事者の予測されたワークフローに、少なくとも１つの医療アクションの候補を含めるステップと、
を含むことを特徴とする請求項１から８のいずれかに記載の方法。
【請求項１０】
システム管理者の入力に基づいて前記ワークフローデータベースを更新するステップを更に備えることを特徴とする請求項９に記載の方法。
【請求項１１】
前記メニューからメニュー項目を無効化することを促すステップを更に備えることを特徴とする請求項１から１０のいずれかに記載の方法。
【請求項１２】
医療ワークフローを適合させるための命令が記録されたコンピュータ読み取り可能な記録媒体であって、
前記命令は、プロセッサに、
医療情報データを含むメッセージを取得するステップと、
前記医療情報データを少なくとも部分的に使用して、医療従事者のワークフローを予測するステップと、
予測に基づいて、１以上の医療アクションの候補を含むメニューをインタフェースに送信するステップと、
を実行させるコードを備えることを特徴とする記録媒体。
【請求項１３】
予測するための前記コードは、前記医療従事者の識別情報及び認証レベルを用いて予測するためのコードを含むことを特徴とする請求項１２に記載のコンピュータ読み取り可能な記録媒体。
【請求項１４】
前記医療情報データは、患者の識別情報、医療アイテムの識別情報、及びバーコード情報のうち少なくとも１つを含むことを特徴とする請求項１２又は１３に記載のコンピュータ読み取り可能な記録媒体。
【請求項１５】
医療ワークフローを適合させるためのシステムであって、
サーバと、
インタフェースを有するスキャナと、
データベースと、を備え、
前記サーバは、
医療情報データを含むメッセージを前記スキャナから取得するように構成された医療情報受付部と、
前記医療情報データを少なくとも部分的に使用して、医療従事者のワークフローを予測するように構成されたワークフロー予測部と、
予測に基づいて、１以上の医療アクションの候補を含むメニューを、前記インタフェースに表示するために前記スキャナに送信するように構成されたメニュー送信部と、
を備えることを特徴とするシステム。
【請求項１６】
前記ワークフロー予測部は、前記医療従事者の識別情報及び認証レベルを用いて予測するように更に構成されることを特徴とする請求項１５に記載のシステム。
【請求項１７】
前記医療情報データに関連付けられた状態を判定するように構成された状態判定部を更に備えることを特徴とする請求項１５又は１６に記載のシステム。
【請求項１８】
前記ワークフロー予測部は、前記医療情報データに関連付けられた前記状態を用いて予測するように更に構成されることを特徴とする請求項１７に記載のシステム。
【請求項１９】
最初の前記メッセージにセッションを関連付けるように構成されたセッション管理部を更に備えることを特徴とする請求項１５から１８のいずれかに記載のシステム。
【請求項２０】
前記ワークフロー予測部は、前記セッション情報に基づいて予測するように更に構成されることを特徴とする請求項１９に記載のシステム。
【国際調査報告】
2013515324.tif 000015
2013515324.tif 000016